(57)【要約】    【課題】  家庭、ビジネス、余暇、旅行など、生活の様々なシーンで容易に利用することができるプロジェクタを提供する。    【解決手段】  プロジェクタ本体部１１０と、プロジェクタ本体部１１０に一体化された電球ソケット取付部１５０を備えたプロジェクタ１００であって、電球ソケット取付部１５０は、電球ソケットに対して着脱自在に構成され、電球ソケットへの取り付けにより電球ソケットを介して電力取得を可能にするプロジェクタ。【選択図】  図１
2006227143.tif 000002
【特許請求の範囲】
【請求項１】
プロジェクタ本体部と、
前記プロジェクタ本体部に一体化され、電球ソケットに対して着脱自在に構成され、前記電球ソケットへの取付けにより前記電球ソケットを介して電力取得を可能にする電球ソケット取付部とを備えることを特徴とするプロジェクタ。
【請求項２】
請求項１に記載のプロジェクタにおいて、
前記プロジェクタ本体部は、前記電球ソケット取付部に対して回動自在に構成されていることを特徴とするプロジェクタ。
【請求項３】
プロジェクタ本体部と、
前記プロジェクタ本体部に結合可能であり、電力コンセントに対して着脱自在に構成され、前記電力コンセントに差し込むことにより前記電力コンセントを介して電力取得を可能にする電源アダプタとを備えることを特徴とするプロジェクタ。
【請求項４】
請求項３に記載のプロジェクタにおいて、
前記プロジェクタ本体部は、前記電源アダプタに対して回動自在に構成されていることを特徴とするプロジェクタ。
【請求項５】
請求項３又は４に記載のプロジェクタにおいて、
前記電源アダプタとして、複数種類の電源アダプタを交換可能に備えることを特徴とするプロジェクタ。
【請求項６】
プロジェクタ本体部と、
前記プロジェクタ本体部にコードを介して接続可能であり、車のシガレットライターに対して着脱自在に構成され、前記シガレットライターに差し込むことにより前記シガレットライターを介して電力取得を可能にする電源アダプタと、
前記プロジェクタ本体部を前記車に取り付けるための車載取付部とを備えることを特徴とするプロジェクタ。
【請求項７】
請求項１〜６のいずれかに記載のプロジェクタにおいて、
前記プロジェクタ本体部は、光源としてＬＥＤを有することを特徴とするプロジェクタ。
【請求項８】
請求項１〜７のいずれかに記載のプロジェクタにおいて、
前記プロジェクタ本体部は、光源からの光を画像情報に応じて変調する電気光学変調装置として、透過型カラー液晶装置を有することを特徴とするプロジェクタ。
【請求項９】
請求項１〜８のいずれかに記載のプロジェクタにおいて、
前記プロジェクタ本体部とは別体に構成され、映像ソースに係る画像情報を前記プロジェクタ本体部に対して送信可能な画像情報送信装置を備え、
前記プロジェクタ本体部は、前記画像情報送信装置から送信された前記画像情報を受信する画像情報受信部を有することを特徴とするプロジェクタ。
【発明の詳細な説明】
【技術分野】
【０００１】
本発明は、プロジェクタに関する。 
【背景技術】
【０００２】
プロジェクタとして、天井に配設されたシーリングコンセントに対して取付自在に構成された取付部と、取付部に対して回転可能とされたプロジェクタ本体部とを備えるプロジェクタが開示されている。このプロジェクタによれば、プロジェクタを天井に常設しておくことが可能になり、使用の都度、プロジェクタを移動させ配線接続を行う等の手間がなくなり、また、収納スペースの確保等の問題も解消できるという効果が得られる（例えば、特許文献１参照。）。
【０００３】
【特許文献１】特開２００４−７８１５０号公報（図２）
【発明の開示】
【発明が解決しようとする課題】
【０００４】
しかしながら、このようなプロジェクタにおいては、プロジェクタの設置位置が天井に限られてしまう。また、プロジェクタを一旦天井に設置すると、その取り外しが容易ではない。このため、家庭、ビジネス、余暇、旅行など、生活の様々なシーンでプロジェクタを使用することが容易ではないという問題があった。
【０００５】
そこで、本発明は、このような問題を解決するためになされたもので、生活の様々なシーンでプロジェクタを容易に利用することができるプロジェクタを提供することを目的とする。
【課題を解決するための手段】
【０００６】
本発明のプロジェクタは、プロジェクタ本体部と、前記プロジェクタ本体部に一体化され、電球ソケットに対して着脱自在に構成され、前記電球ソケットへの取付けにより前記電球ソケットを介して電力取得を可能にする電球ソケット取付部とを備えることを特徴とする。
【０００７】
このため、本発明のプロジェクタによれば、プロジェクタの設置位置が天井に限られてしまうことがなくなる。すなわち、本発明のプロジェクタによれば、電球ソケットが存在するところすべて（天井、天井から吊り下がった空間、机上、床上など）にプロジェクタを設置することができる。
また、本発明のプロジェクタによれば、プロジェクタを特定の場所の電球ソケットに取り付けたとしても、簡単にその場所の電球ソケットから取り外すことができる。
このため、本発明のプロジェクタは、家庭、ビジネス、余暇、旅行など、生活の様々なシーンでプロジェクタを容易に利用することできるプロジェクタとなる。
【０００８】
本発明のプロジェクタにおいては、前記プロジェクタ本体部は、前記電球ソケット取付部に対して回動自在に構成されていることが好ましい。
【０００９】
このような構成とすることにより、プロジェクタにより投写される投写画像の投写位置及び傾きを自在に調整することができるようになる。
【００１０】
本発明のプロジェクタは、プロジェクタ本体部と、前記プロジェクタ本体部に結合可能であり、電力コンセントに対して着脱自在に構成され、前記電力コンセントに差し込むことにより前記電力コンセントを介して電力取得を可能にする電源アダプタとを備えることを特徴とする。
【００１１】
このため、本発明のプロジェクタによれば、プロジェクタの設置位置が天井に限られてしまうことがなくなる。すなわち、本発明のプロジェクタによれば、電力コンセントが存在するところすべて（壁、机上、床上など）にプロジェクタを設置することができる。
また、本発明のプロジェクタによれば、プロジェクタを特定の場所の電力コンセントに取り付けたとしても、簡単にその場所の電力コンセントから取り外すことができる。
このため、本発明のプロジェクタは、家庭、ビジネス、余暇、旅行など、生活の様々なシーンでプロジェクタを容易に利用することできるプロジェクタとなる。
【００１２】
本発明のプロジェクタにおいては、前記プロジェクタ本体部は、前記電源アダプタに対して回動自在に構成されていることが好ましい。
【００１３】
このような構成とすることにより、プロジェクタにより投写される投写画像の投写位置及び傾きを自在に調整することができるようになる。
【００１４】
本発明のプロジェクタにおいては、前記電源アダプタとして、複数種類の電源アダプタを交換可能に備えることが好ましい。
【００１５】
電力コンセントの規格（電圧、形状）は、国ごとに異なるのが現状である。このため、外国旅行をする場合などにおいては、電源アダプタが１種類だけだと、せっかく持ち運びができる小型のプロジェクタであったとしても、外国では使用できないということになる。
これに対して、上記のような構成とすることにより、このような問題も解決され、外国旅行した際にも、プロジェクタを問題なく利用することができるようになり、家庭、ビジネス、余暇、旅行など、生活の様々なシーンでプロジェクタをさらに容易に利用することできるようになる。
【００１６】
本発明のプロジェクタは、プロジェクタ本体部と、前記プロジェクタ本体部にコードを介して接続可能であり、車のシガレットライターに対して着脱自在に構成され、前記シガレットライターに差し込むことにより前記シガレットライターを介して電力取得を可能にする電源アダプタと、前記プロジェクタ本体部を前記車に取り付けるための車載取付部とを備えることを特徴とする。
【００１７】
このため、本発明のプロジェクタによれば、車の中でもプロジェクタを容易に利用することができる。
また、本発明のプロジェクタによれば、プロジェクタを特定の車のシガレットライターに取り付けたとしても、簡単にその車のシガレットライターから取り外すことができる。
【００１８】
本発明のプロジェクタにおいては、前記プロジェクタ本体部は、光源としてＬＥＤを有することが好ましい。
【００１９】
このような構成とすることにより、小型、長寿命、低消費電力の優れた小型のプロジェクタとなる。
【００２０】
本発明のプロジェクタにおいては、光源からの光を画像情報に応じて変調する電気光学変調装置として、透過型カラー液晶装置を有することが好ましい。
【００２１】
このような構成とすることにより、小型、長寿命、低消費電力、フルカラーの優れた小型のプロジェクタとなる。
【００２２】
本発明のプロジェクタにおいては、前記プロジェクタ本体部とは別体に構成され、映像ソースに係る画像情報を前記プロジェクタ本体部に対して送信可能な画像情報送信装置を備え、前記プロジェクタ本体部は、前記画像情報送信装置から送信された前記画像情報を受信する画像情報受信部を有することが好ましい。
【００２３】
このような構成とすることにより、ＣＤ、ＤＶＤ、チューナーなどからプロジェクタへの画像情報の送信が容易になり、プロジェクタの小型化が実現できるとともに、プロジェクタの設置の自由度が高まり、プロジェクタを利用する際のデザイン上の価値を高めることができる。
【発明を実施するための最良の形態】
【００２４】
以下、本発明のプロジェクタについて、図に示す実施の形態に基づいて説明する。
【００２５】
〔実施形態１〕
図１は、実施形態１に係るプロジェクタ１００を説明するために示す図である。図１（ａ）はプロジェクタ１００の外観図であり、図１（ｂ）はプロジェクタ１００の電球ソケット取付部１５０と同じ規格の口金を有する電球１０の外観図である。
図２は、実施形態１に係るプロジェクタ１００の概略断面図である。
図３は、実施形態１に係るプロジェクタ１００の第１の使用態様を示す図である。図３（ａ）はプロジェクタ１００の設置方法を示す図であり、図３（ｂ）はプロジェクタ１００の投写状態を示す図である。
図４は、実施形態１に係るプロジェクタ１００の第２の使用態様を示す図である。図４（ａ）はプロジェクタ１００の設置方法を示す図であり、図４（ｂ）はプロジェクタ１００の投写状態を示す図である。
【００２６】
実施形態１に係るプロジェクタ１００は、図１及び図２に示すように、プロジェクタ本体部１１０と、プロジェクタ本体部１１０に一体化された電球ソケット取付部１５０とを備えている。電球ソケット取付部１５０は、図１（ｂ）に示すように、電球の口金と同じ形状を有している。そして、図３（ａ）及び図４（ａ）に示すように、電球ソケットに対して着脱自在に構成され、電球ソケットへの取付けにより電球ソケットを介して電力取得を可能にするように構成されている。
【００２７】
例えば、図３（ｂ）に示すように、天井に設置されたライト本体１６０の電球ソケット１６２にプロジェクタ１００を配設することにより、天井から吊り下がった空間にプロジェクタ１００を設置することが可能である。また、図４（ｂ）に示すように、卓上型スポットライト１７０の電球ソケット（図示せず。）にプロジェクタ１００を配設し、さらに卓上型スポットライト１７０の前面に半透過型スクリーン１７２を配設することにより、机上、床上などの様々な場所においてプロジェクタ１００を設置することが可能である。
【００２８】
このため、実施形態１に係るプロジェクタ１００によれば、プロジェクタ１００の設置位置が天井に限られてしまうことがなくなる。すなわち、実施形態１に係るプロジェクタ１００によれば、電球ソケットが存在するところすべて（天井、天井から吊り下がった空間、机上、床上など）にプロジェクタを設置することが可能になる。
また、実施形態１に係るプロジェクタ１００によれば、プロジェクタ１００を特定の場所の電球ソケットに取り付けたとしても、簡単にその場所の電球ソケットから取り外すことができる。
このため、実施形態１に係るプロジェクタ１００は、家庭、ビジネス、余暇、旅行など、生活の様々なシーンでプロジェクタを容易に利用することできる。
【００２９】
実施形態１に係るプロジェクタ１００においては、図３（ａ）に示すように、プロジェクタ本体部１１０は、電球ソケット取付部１５０に対して回動自在（折り曲げ自在及び回転自在）に構成されている。
このため、実施形態１に係るプロジェクタ１００によれば、プロジェクタ１００により投写される投写画像の投写位置及び傾きを自在に調整することができるようになる。
【００３０】
プロジェクタ本体部１１０は、図２に示すように、光源としての白色ＬＥＤ１２０、白色ＬＥＤ１２０からの光を画像情報に応じて変調する電気光学変調装置としての透過型カラー液晶装置１３０及び透過型カラー液晶装置１３０により変調された光を投写する投写レンズ１４０を有している。白色ＬＥＤ１２０と透過型カラー液晶装置との間には、白色ＬＥＤ１２０からの光を透過型カラー液晶装置１３０に導くためのコリメータレンズ１２２及び伸張レンズ１２４とが配置されている。
【００３１】
このため、実施形態１に係るプロジェクタ１００においては、光源として白色ＬＥＤ１２０を有しているため、小型、長寿命、低消費電力の優れた小型のプロジェクタが実現可能となる。
【００３２】
また、実施形態１に係るプロジェクタ１００においては、電気光学変調装置として透過型カラー液晶装置１３０を有しているため、小型、長寿命、低消費電力、フルカラーの優れた小型のプロジェクタが実現可能となる。
【００３３】
なお、実施形態１に係るプロジェクタ１００においては、重量について限定することなく、例えば電源コード等を強化することによって、プロジェクタ本体部１１０の重量が１ｋｇ以上であっても安定的な取り付け状態を実現することは可能である。しかしながら、携帯性を考慮して、プロジェクタ本体部の重量を３００ｇ以下にすることが好ましい。この場合、プロジェクタを電球ソケットに取り付けたときの負荷が小さくなり、さらに安定的な取り付け状態を実現することが可能となる。また、プロジェクタの持ち運びがさらに容易となるという効果もある。
【００３４】
〔実施形態２〕
図５は、実施形態２に係るプロジェクタ２００を説明するために示す図である。図５（ａ）はプロジェクタ２００の外観図であり、図５（ｂ）はプロジェクタ２００の設置方法を示す図である。
図６は、実施形態２に係るプロジェクタ２００の使用態様を示す図である。図６（ａ）〜図６（ｃ）は異なった回動状態における使用態様を示す図である。
【００３５】
実施形態２に係るプロジェクタ２００は、図５（ａ）に示すように、プロジェクタ本体部２１０と、プロジェクタ本体部２１０に結合可能な電源アダプタ２５０とを備えている。電源アダプタ２５０は、図５（ｂ）に示すように、電力コンセントに対して着脱自在に構成され、電力コンセントに差し込むことにより電力コンセントを介して電力取得を可能にするように構成されている。
プロジェクタ本体部２１０は、実施形態１に係るプロジェクタ本体部１１０の場合と同様の構成を有している。
【００３６】
このため、実施形態２に係るプロジェクタ２００によれば、プロジェクタの設置位置が天井に限られてしまうことがなくなる。すなわち、実施形態２に係るプロジェクタ２００によれば、電力コンセントが存在するところすべて（壁、机上、床上など）にプロジェクタを設置することが可能になる。
また、実施形態２に係るプロジェクタ２００によれば、プロジェクタを特定の場所の電力コンセントに取り付けたとしても、簡単にその場所の電力コンセントから取り外すことができる。
このため、実施形態２に係るプロジェクタ２００は、家庭、ビジネス、余暇、旅行など、生活の様々なシーンでプロジェクタを容易に利用することができる。
【００３７】
実施形態２に係るプロジェクタ２００においては、図６に示すように、プロジェクタ本体部２１０は、電源アダプタ２５０に対して回動自在に構成されている。
このため、実施形態２に係るプロジェクタ２００によれば、プロジェクタ２００により投写される投写画像の投写位置及び傾きを自在に調整することができるようになる。
【００３８】
実施形態２に係るプロジェクタ２００においては、電源アダプタとして、複数種類の電源アダプタを交換可能に備え、プロジェクタ２００の内部に変圧部を設けるように構成してもよい。
【００３９】
図７は、国ごとの電力コンセントの形状を示す図である。図７に示すように、電力コンセントの規格（電圧、形状）は、国ごとに異なるのが現状である。このため、外国旅行をする場合などにおいては、電源アダプタが１種類だけだと、せっかく持ち運びができる小型のプロジェクタであったとしても、外国では使用できないということになる。
これに対して、上記のように、電源アダプタとして、複数種類の電源アダプタを交換可能に備えることとすれば、このような問題も解決され、外国旅行をする際にも、プロジェクタを問題なく利用することができるようになり、家庭、ビジネス、余暇、旅行など、生活の様々なシーンでプロジェクタをさらに容易に利用することができるようになる。
【００４０】
〔実施形態３〕
図８は、実施形態３に係るプロジェクタ３００を説明するために示す図である。
実施形態３に係るプロジェクタ３００は、図８に示すように、プロジェクタ本体部３１０と、プロジェクタ本体部３１０にコード３６０を介して接続可能な電源アダプタ３５０と、プロジェクタ本体部３１０を車３８０に取り付けるための車載取付部３７０とを備えている。電源アダプタ３５０は、車３８０のシガレットライター３９０に対して着脱自在に構成され、シガレットライター３９０に差し込むことによりシガレットライター３９０を介して電力取得を可能にするように構成されている。
プロジェクタ本体部３１０は、実施形態１に係るプロジェクタ本体部１１０の場合と同様の構成を有している。
【００４１】
このため、実施形態３に係るプロジェクタ３００によれば、車の中でもプロジェクタを容易に利用することが可能になる。また、実施形態３に係るプロジェクタ３００によれば、プロジェクタを特定の車のシガレットライターに取り付けたとしても、簡単にその車のシガレットライターから取り外すことができる。
【００４２】
以上、本発明のプロジェクタを上記の各実施形態に基づいて説明したが、本発明は上記の各実施形態に限定されるものではなく、その要旨を逸脱しない範囲において種々の態様において実施することが可能であり、例えば次のような変形も可能である。 
【００４３】
上記各実施形態のプロジェクタ１００〜３００は、光源として、白色ＬＥＤを用いたが、本発明はこれに限定されるものではなく、内部に発光管を含む光源ランプを用いることもできる。
【００４４】
上記各実施形態のプロジェクタ１００〜３００は、電気光学変調装置として、透過型カラー液晶装置を用いたが、本発明はこれに限定されるものではなく、反射型カラー液晶装置、透過型又は反射型のモノクロ液晶装置、デジタルマイクロミラーなどの他の電気光学変調装置を用いることもできる。
【００４５】
上記各実施形態のプロジェクタ１００〜３００においては、照明用のＬＥＤをさらに備えることもできる。この場合、プロジェクタを照明器具やインテリアとして利用することも可能になり、このプロジェクタを生活の様々なシーンで活用することができるようになる。
【００４６】
上記各実施形態のプロジェクタ１００〜３００においては、プロジェクタ本体部とは別体の画像情報送信装置をさらに備えるようにしてもよい。この場合、画像情報送信装置は、映像ソースに係る画像情報をプロジェクタ本体部に対して送信して、プロジェクタ本体部の画像情報受信部は、画像情報送信装置から送信された画像情報を受信する。
このようにすれば、ＣＤ、ＤＶＤ、チューナーなどからプロジェクタへの画像情報の送信が容易になり、プロジェクタの小型化が実現できるとともに、プロジェクタの設置の自由度が高まり、プロジェクタを利用する際のデザイン上の価値を高めることができる。
なお、画像情報送信装置からプロジェクタ本体部に対する送信は、有線送信又は無線送信のいずれも可能であるが、コードを省略できるという観点から、無線送信がより好ましい。
【００４７】
上記各実施形態のプロジェクタ１００〜３００においては明示していないが、本発明のプロジェクタが、プロジェクタ本体部の制御を行うリモートコントローラをさらに備えるものであってもよいことはいうまでもない。
【図面の簡単な説明】
【００４８】
【図１】実施形態１に係るプロジェクタ１００を説明するために示す図。
【図２】実施形態１に係るプロジェクタ１００の概略断面図。
【図３】実施形態１に係るプロジェクタ１００の第１の使用態様を示す図である。
【図４】実施形態１に係るプロジェクタ１００の第２の使用態様を示す図である。
【図５】実施形態２に係るプロジェクタ２００を説明するために示す図。
【図６】実施形態２に係るプロジェクタ２００の使用態様を示す図である。
【図７】国ごとの電力コンセントの形状を示す図。
【図８】実施形態３に係るプロジェクタ３００を説明するために示す図。
【符号の説明】
【００４９】
１０…電球、１００，２００，３００…プロジェクタ、１１０，２１０，３１０…プロジェクタ本体部、１２０…白色ＬＥＤ、１２２…コリメータレンズ、１２４…伸張レンズ、１３０…透過型カラー液晶装置、１４０…投写レンズ、１５０…電球ソケット取付部、１６０…ライト本体、１６２…電球ソケット、１７０…卓上型スポットライト、１７２…半透過型スクリーン、２５０，３５０…電源アダプタ、３６０…コード、３７０…車載取付部、３８０…車、３９０…シガレットライター、ＳＣＲ…スクリーン
【図１】
2006227143.tif 000003
【図２】
2006227143.tif 000004
【図３】
2006227143.tif 000005
【図５】
2006227143.tif 000006
【図６】
2006227143.tif 000007
【図７】
2006227143.tif 000008
【図８】
2006227143.tif 000009
【図４】
2006227143.tif 000010